(57)【特許請求の範囲】
【請求項１】
操縦室を備えるとともに基台に対して回転可能にした機体に、垂直方向に回動可能にしたブームおよびアームを設け、このアームの先端にバケットを設けるとともに、このバケットに、地盤改良をするための固化材液とともに土を練るための混練ローターを設け、かつ、この混練ローターの近傍に、地盤の地盤改良の度合いを電気比抵抗として検出する検出器を設け、上記機体には基台に対する水平方向の回転角を検出する水平回転角度センサーを設け、上記ブームとアームとの回動部およびアームとバケットとの回動部には、その回転角を検出する垂直回転角度センサーを設けるとともに、上記各回転角度センサーをコントローラに電気的に接続し、このコントローラは、上記ブームの基端から上記検出器にいたるまでの長さをあらかじめ記憶し、上記各回転角度センサーから受信した角度信号に基づいて上記改良度合い検出器の三次元位置を演算し、その演算結果を、上記改良度合い検出器で検出された電気比抵抗とともに記憶する構成にした地盤改良機において、上記コントローラは、地盤改良を必要とするエリアの平面を、その平面幅方向に平行でかつバケットの幅よりも広く設定するとともにバケットの移動をガイドするための複数のコースに区分し、その区分された複数のコースを出力手段に表示する機能と、この区分表示して出力手段に表示された上記コースに位置検出された検出器の平面二次元位置を表示する機能と、地盤改良を必要とするエリアの深さと平面奥行き方向長さを出力手段に表示させる機能と、この出力手段に表示された深さと平面奥行き方向長さの範囲に、改良度合い検出器で検出された電気比抵抗値を色分けして表示する機能とを備え、上記少なくともアームとバケットとの角度を検出する上記垂直回転角度センサーは、アーム側に固定するプレートと、このプレートに対向してバケット側に固定したケーシングと、このケーシング内に設けた回転体と、この回転体の回転角度に応じて電気的な出力が制御される出力計と、上記プレートに設けるとともに回転体と対向する円周方向に複数設けた永久磁石と、上記回転体の円周方向にもうけるとともにプレートに設けた永久磁石と対向する複数の永久磁石とからなり、これら永久磁石の吸引力で、上記プレートと回転体とが一体回転する構成にした地盤改良機。
【発明の詳細な説明】
【技術分野】
【０００１】
この発明は、建造物の基礎を設けるための地盤を改良する地盤改良機に関する。
【背景技術】
【０００２】
この種の地盤改良機として特許文献１に記載されたものが従来から知られている。この従来の地盤改良機は、バックホーのバケットに、改良地盤の土を固化材液と混練する混練ローター及び地盤の改良度合いを検出する改良度合い検出器を設け、このバケット先端の移動軌跡を、深さと奥行きの二次元でとらえるようにしている。
【０００３】
つまり、バケット先端の移動軌跡をとらえるのにコントローラを用いるとともに、このコントローラは、バックホーのブーム、アーム及びアームからバケット先端までの長さをあらかじめ記憶している。また、上記ブーム基端部分、ブームとアームの連結部分及びアームとバケットとの連結部分のそれぞれに、それら連結部分の垂直方向の回転角を検出する回転角センサーをもうけるとともに、これら回転角センサーが検出した回転角を上記コントローラに入力するようにしている。
【０００４】
したがって、コントローラは、時々に入力する各回転角センサーの検出角と、あらかじめ記憶した上記ブーム等の長さに基づいて、バケット先端の位置を二次元的に演算することができる。そして、コントローラの演算結果は、当該コントローラに接続したモニターに表示するようにしている。
【０００５】
さらに、上記コントローラには、改良度合い検出器が検出した地盤の改良度合い信号が入力し、この改良度合い信号も上記モニターに表示される。
なお、上記改良度合い検出器は、混練して流動化した土と固化材液の混合体の電気比抵抗値を検出するものである。
したがって、オペレータは、モニターを確認すれば、二次元でとらえた位置の地盤の改良状況を確認することができる。
【０００６】
また、オペレータは、上記のようにモニターに二次元で表示されたバケットの位置を確認しながらバケットを移動させるが、このときには、ほぼバケットの幅分だけの作業幅を保ちながら、当該バケットを当該機体側に引き寄せるようにして混練作業をする。
そして、上記のようにバケットの幅分だけの混練作業が終了したら、当該機体を上記バケットの幅分だけ幅方向に移動して、隣の作業幅における混練作業をする。
このようにして機体を幅方向に順次移動しながら、一定面積の改良エリアの地盤を改良していく。
【先行技術文献】
【特許文献】
【０００７】
【特許文献１】特許第４４７８１８７号号公報
【発明の概要】
【発明が解決しようとする課題】
【０００８】
上記のようにした従来の地盤改良機では、バケットの位置を、深さと奥行きというように二次元でしかとらえられず、その平面幅方向の位置を自動的に把握することができなかった。
そのために、上記したようにバケットの幅分だけの作業幅を何回も繰り返して、一定面積の改良エリアの地盤を改良せざるを得なかった。なぜなら、機体を一定位置に保って、バケットを適当に幅方向に振りながら地盤改良作業をすると、未作業エリアができてしまうので、このような未作業エリアができないようにするためである。
【０００９】
上記のように未作業エリアがないようにするために、バケットの幅分の作業幅を何回も繰り返して、一定面積の改良エリアの地盤を改良する作業を行うので、バックホーの移動回数が多くならざるをえないが、バックホーを移動するのは、大きな労力を必要とするので、その回数が多くなると、それだけ作業効率が悪くなる。
【００１０】
そこで、バックホーの移動回数を減らすために、バックホーの位置を固定化してバケットを上記幅方向に振りながら作業をすれば、そのバックホーの特定の固定位置において、一直線上にバケットを移動させるときよりも、上記振り幅分だけ広い作業ができるようになる。
【００１１】
しかし、従来の地盤改良機では、オペレータの操作によってバケットを幅方向に移動させることはできるが、どのくらいの幅の範囲で移動させたのかという位置確認ができない。そのために、バックホーを幅方向に振るときに、その振り幅の基準がなくなり、ややもすると、ふり幅が小さすぎたり、あるいはそれが大きすぎたりしてしまうことがあった。このようにバックホーの振り幅が一定しないと、十分な地盤改良がされていない未作業分が残ってしまう。
【００１２】
未作業エリアは、地盤改良が十分に行われなくなるが、それは必要エリアの改良作業を一通り終わってからの試料検査で判明することが多い。もし、この試料検査の段階で、地盤改良が不十分であると判定されると、上記必要エリアのすべての混練作業をやり直さざるをえず、作業効率が著しく悪くなってしまう。
【００１３】
また、上記のように二次元の位置確認しかできないので、改良度合い検出器で検出する改良度合いの信号も二次元情報になってしまう。そのために三次元的な位置を確認しながら、その位置における改良度合いをその都度把握できないので、オペレータは、作業中に改良度合いを確認できないという問題があった。
【００１４】
この発明の目的は、混練ローター及び改良度合い検出器の位置を三次元でとらえられるようにして、地盤改良の状況を正確に把握できるとともに、基台を含めた機体の幅方向の移動回数を最小限にとどめられる地盤改良機を提供することである。
【課題を解決するための手段】
【００１５】
この発明は、操縦室を備えるとともに基台に対して回転可能にした機体に、垂直方向に回動可能にしたブームおよびアームを設け、このアームの先端にバケットを設けるとともに、このバケットに、地盤改良をするための固化材液とともに土を練るための混練ローターを設け、かつ、この混練ローターの近傍に、地盤の地盤改良の度合いを電気比抵抗として検出する検出器を設けている。
【００１６】
そして、上記機体には基台に対する水平方向の回転角を検出する水平回転角度センサーを設け、上記ブームとアームとの回動部およびアームとバケットとの回動部には、その回転角を検出する垂直回転角度センサーを設けるとともに、上記各回転角度センサーをコントローラに電気的に接続し、このコントローラは、上記ブームの基端から上記検出器にいたるまでの長さをあらかじめ記憶し、上記各回転角度センサーから受信した角度信号に基づいて上記改良度合い検出器の三次元位置を演算し、その演算結果を、上記改良度合い検出器で検出された電気比抵抗とともに記憶する構成にしている。
【００１７】
また、上記コントローラは、地盤改良を必要とするエリアの平面を、その平面幅方向に平行でかつバケットの幅よりも広く設定するとともにバケットの移動をガイドするための複数のコースに区分し、その区分された複数のコースを出力手段に表示する機能と、この区分表示して出力手段に表示された上記コースに位置検出された検出器の平面二次元位置を表示する機能と、地盤改良を必要とするエリアの深さと平面奥行き方向長さを出力手段に表示させる機能と、この出力手段に表示された深さと平面奥行き方向長さの範囲に、改良度合い検出器で検出された電気比抵抗値を色分けして表示する機能とを備えている。
【００１９】
さらに、上記少なくともアームとバケットとの角度を検出する上記垂直回転角度センサーは、アーム側に固定するプレートと、このプレートに対向してバケット側に固定したケーシングと、このケーシング内に設けた回転体と、この回転体の回転角度に応じて電気的な出力が制御される出力計と、上記プレートに設けるとともに回転体と対向する円周方向に複数設けた永久磁石と、上記回転体の円周方向にもうけるとともにプレートに設けた永久磁石と対向する複数の永久磁石とからなり、これら永久磁石の吸引力で、上記プレートと回転体とが一体回転する構成にしている。
【発明の効果】
【００２１】
この発明によれば、混練ローター及び改良度合い検出器の位置を三次元でとらえられるので、地盤改良の状況を正確に把握することができる。つまり、コントローラは、混練ローターの移動位置を三次元的にとらえることによって、満遍なく混練がされたかどうかを把握できるとともに、改良度合い検出器の出力信号を三次元的に追跡することによって、地盤改良の度合いを正確に把握できる。
【００２２】
また、水平回転角度センサーを設けたので、機体の位置を固定化した状態で支持部材を水平方向に回せば、混練ローター及び改良度合い検出器の水平方向の位置を位置情報としてコントローラに入力することができる。したがって、上記のように機体の位置を固定化しつつ、混練ローターを幅方向に移動させるなど、ある程度幅を持たせた範囲で混練作業をしても、コントローラは混練作業を実施した位置を把握できるとともに、その位置における改良度合い検出器からの地盤信号を三次元的に出力できる。
【００２３】
上記のように混練ローターを幅方向に振りながら移動させても、コントローラがそれらの位置を把握できるので、その幅方向の範囲をはっきりと確認できる。したがって、混練ローターを幅方向に振りながら移動して、その作業効率を上げるとともに、基台を含めた機体の移動回数を最小限に抑えることができ、全体的にも作業効率の著しい向上を図ることができる。
【００２４】
さらに、複数のコースを操縦室のモニターに表示するようにしたので、これら各コースの幅を混練ローターの幅よりも広く設定しておけば、オペレータはモニターを見ながら、上記コースの範囲内で、混練ローター及び改良度合い検出器を幅方向に少し振りながら移動させることができる。このとき上記コースがモニターに表示されているので、各コース間の境界も明確になり、オペレータは混練ローター及び改良度合い検出器を振らせる範囲を意識しながら混練作業や地盤検出作業を実施できる。
【００２５】
もし、上記のようにコース表示がなければ、オペレータは、実際に混練作業をどこまで実施したのかを判別しにくくなり、コースを変更する際に、機体の位置設定もあいまいになり、場合によってはコース間で重複するような作業を実施してしまうこともあるが、この発明は出力手段に表示されたコースに沿って混練作業ができるので、上記のような問題は一切発生しない。
【００２７】
また、垂直角度センサーの回転体及びこの回転体の回転角度に応じて電気的な信号を出力する出力計をケーシングで覆い、この回転体と回転体と対向するプレートとのそれぞれに、永久磁石を設けてそれらを対向させたので、回転体及び出力計は混練中の土砂に影響されない。
【図面の簡単な説明】
【００２８】
【図１】地盤改良機の側面図である。
【図２】垂直角度センサーの正面図である。
【図３】垂直角度センサーの断面図である。
【図４】地盤改良エリアを示した立体図である。
【図５】深さＤと平面奥行き方向の長さＬの二次元における混練ローターの位置を示すとともに、地盤改良度合いを表示したモニター上のグラフである。
【図６】平面奥行き方向の長さＬと平面幅方向の長さＷの二次元における混練ローターの位置を示すモニター上のグラフである。
【図７】各ポイントｐ１〜ｐ５における深さＤの電気比抵抗を示すモニター上のグラフである。
【発明を実施するための形態】
【００２９】
図１に示した地盤改良機は、クローラを主体にした基台１に機体２を回動可能に設けたもので、上記基台１に対する機体２の回動位置を検出するための水平回転角センサーを設けているが、この水平回転角センサーは図示していない。
【００３０】
上記のようにした機体２には操縦室３を設けるとともに、ブーム４の基端を垂直方向に回動自在に取り付けている。なお、図中符号５はブームシリンダで、その基端を機体に回動自在に取り付けている。そして、このブームシリンダ５の伸縮動作によって、ブーム４が垂直方向に回動する。
【００３１】
上記ブーム４の先端には、回転軸６を回動支点にしたアーム７を回動自在に取り付けるとともに、ブーム４とアーム７間にアームシリンダ８を設け、このアームシリンダ８の伸縮動作でアーム７が垂直方向に回動する。
さらに、上記アーム７の先端には、回転軸９を回動支点にしたバケット１０を回動自在に取り付けるとともに、アーム７とバケット１０間にバケットシリンダ１１を設け、このバケットシリンダ１１の伸縮動作でバケット１０が垂直方向に回動する。
【００３２】
上記バケット１０内には、複数の撹拌翼からなる混練ローター１２を設けるとともに、バケット１０の先端には、図示していないコントローラに接続した改良度合い検出器１３を取り付けている。
上記混練ローター１２は、図示していない油圧モータを駆動源として回転するもので、バケット１０内で土砂およびセメント系の固化材液を混練するものである。
また、上記改良度合い検出器１３は、上記のように混練された流動体の電気比抵抗を検出するもので、当該流動体が十分に混練されていれば検出する電気比抵抗の値が小さくなる。そして、その電気比抵抗が一定値以下になれば、改良度合いが十分であると判定される。
【００３３】
上記のようにアーム７の先端に、回転軸９を回動支点にしたバケット１０を回動自在に取り付けているが、この連結部である回転軸９には、図２，３に示す垂直回転角度センサーＳを設けている。
この垂直回転センサーＳは、バケット１０に固定したブラケット１４にケーシングＣを固定しているが、このケーシングＣは、本体１５の周囲に囲い壁１５ａを設けるとともに、この囲い壁１５ａに蓋板１６を固定している。
【００３４】
このようにしたケーシングＣには上記回転軸９を貫通させるとともに、この回転軸９には第１プーリー１７を回転自在に設けている。この第１プーリー１７には、図２に示すようにその円周方向に一定の間隔を保って、複数の永久磁石１８を埋設している。
【００３５】
さらに、上記ケーシングＣ内には、ベルト１９を介して上記第１プーリー１７と一体回転する第２プーリー２０を設けるとともに、この第２プーリー２０の回転軸２１を、図３に示すように、ケーシングＣの外部に設けたポテンショメータ２２に連係している。このポテンショメータ２２は、上記第２プーリー２０の回転に連係して回るとともに、その回転角に応じて電気抵抗を可変にするものである。なお、このポテンショメータ２２は、カバーで完全に覆われるとともに、図示していないコントローラに接続し、コントローラがポテンショメータ２２の電気抵抗から上記回転角を検出するようにしている。
【００３６】
なお、上記第１プーリー１７と第２プーリー２０のそれぞれは、この発明の回転体を構成するものである。また、上記ポテンショメータ２２は、この発明の出力計を構成するもので、上記回転体の回転角度に応じて電気的な信号を出力する。
【００３７】
一方、アーム７に固定したブラケット２３には回転板２４を固定するとともに、この回転板２４には、第１プーリー１７の永久磁石１８と同数の永久磁石２５を設け、これら永久磁石１８，２５を互いに対向させている。このように互いに対向させた永久磁石１８，２５は相互に吸引力を発揮する極性を保っている。
【００３８】
上記のようにした垂直回転角センサーＳは、第１プーリー１７と第２プーリー２０及びそれらを連係するベルト１９がケーシングＣに完全に収められているので、当該センサーＳが流動化した土砂などのなかに埋められたとしても、その回転系に支障をきたすことはない。しかも、ポテンショメータ２２もカバーで覆われているので、その電気系統に影響を及ぼすこともない。
さらに、第１プーリー１７と回転板２４とは、永久磁石１８，２５の吸引力で一体回転するので、第１プーリー１７と回転板２４との間に多少の土砂等が浸入しても、回転力は確実に伝達される。
【００３９】
そして、アーム７とバケット１０とが相対回転すると、例えば回転板２４の回転力が永久磁石２５，１８を介して第１プーリー１７に伝達されるとともに、この第１プーリー１７の回転力がベルト１９を介して第２プーリー２０に伝達される。このようにして第２プーリー２０が回転すると、それにともなってポテンショメータ２２も回転し、その電気抵抗を変化させ、その抵抗に応じた電気信号が出力される。このときの電気信号を上記コントローラが読み取って、アーム７とバケット１０との垂直方向の回転角を演算する。
【００４０】
なお、ブーム４とアーム７との連結部における回転軸６にも垂直回転角度センサーを設けているが、この垂直回転角度センサーも、上記垂直回転角度センサーＳと全く同じ構造のものを用いている。
また、ブーム４の基端における回動部にも垂直回転角度センサーを設けているが、この部分のセンサーは、どのような構造でもよい。なぜなら、ブーム４の基端部分は、流動化した土砂のなかに埋め込まれることがほとんどないからである。
【００４１】
いずれにしても、上記３箇所に設けた垂直回転角度センサーのそれぞれは、上記コントローラに接続されているが、このコントローラは、機体２側における上記ブーム４の回動支点からブーム４とアーム７との連結部の回動支点である回転軸６までの長さ、この回転軸６からアーム７とバケット１０との回動支点である回転軸９までの長さ、及びこの回転軸９からバケット１０の先端までの長さをあらかじめ記憶している。
【００４２】
したがって、コントローラは、上記３箇所に設けた垂直回転角度センサーから角度信号が入力されれば、バケット１０の先端に設けた改良度合い検出器１３の二次元位置を演算することができる。
また、上記したように機体２には基台１に対する水平方向の回転角を検出する水平回転角度センサーを設けているので、コントローラは、３箇所に設けた垂直回転角度センサーと水平回転角度センサーから受信した角度信号によって、バケット１０の先端に設けた改良度合い検出器１３の三次元位置を演算することができる。
【００４３】
上記のようにしたコントローラは、上記三次元の位置情報を、操縦室３に設けた図示していないモニターに図５及び図６のグラフを同時に表示するようにしている。
すなわち、図５に示したグラフは、その縦軸を深さＤとし、横軸を平面奥行き方向の長さＬとするとともに、それら各軸には目盛をセンチメートルで示している。また、図５のグラフには、バケット１０の移動位置に応じて伸縮するバー２６，２７を軸に沿って設け、これらバー２６，２７の先端が当該グラフ上の座標すなわちバケット１０の現在地を示すようにしている。
【００４４】
一方、図６に示したグラフは、その縦軸を平面奥行き方向の長さＬとし、横軸を平面幅方向の長さＷとするとともに、それら各軸には目盛をセンチメートルで示したものである。この図６に示したグラフには、バケット１０の幅よりもやや広めに設定した複数のコースｗ１〜ｗ３を平面幅Ｗ方向に平行に区分表示している。
【００４５】
図７に示したグラフは、縦軸に深さを示し、横軸に水平面のポイントｐ１〜ｐ５を示したもので、ひと通りの地盤改良が終了した後に、当該地盤改良機の改良度合い検出器１３を、上記ポイントｐ１〜ｐ５に埋没させながら、地盤改良度合いを試料検査するためのものである。
そして、コントローラは、上記ポイントｐ１〜ｐ５における改良度合いを電気比抵抗値として記憶するとともに、モニターに表示させる。
【００４６】
次に、地盤を改良する場合について説明する。
先ず、図４に示すように、地盤を改良すべき平面的なエリアである奥行き方向長さＬと幅方向長さＷとをあらかじめ設定するとともに、この地盤改良エリアをバックホー等の掘削機を用いて掘削して、基礎を形成する基礎底Ｂまでの土砂と、注入するセメント系の固化材液に相当する量の土砂を余剰土として排除する。
その後に、当該掘削した地盤改良エリア内であって、限られた範囲をいわゆる支持層にいたるまで掘り下げる。そして、支持層を確認できたら、その支持層Ｍまでの深さＤを計測するとともに、その計測終了後に、支持層Ｍを確認するために掘り起こした土を再び埋め戻す。
【００４７】
上記のように基礎底Ｂまでの深さまで掘った穴内に上記固化材液を注入した後、図１に示したこの発明の地盤改良機を用いて地盤を改良する。
このときには、最初に、当該地盤改良機の位置決めをするとともに、上記地盤改良エリアに対して、バケット１０の先端のゼロ点位置を決め、このゼロ点を上記コントローラに記憶させる。
【００４８】
上記のようにしてバケット１０の先端のゼロ点が決まったら、オペレータは、バケット１０を移動させながら、基礎底Ｂから支持層Ｍまでの土をバケット１０で掘り起こし、その掘り起こした土と、あらかじめ注入してある固化材液とを、バケット１０に設けた撹拌翼で撹拌しながら混練する。
このとき、コントローラは、上記した垂直回転角度センサーＳと図示していない水平角度センサーからの信号に基づいてバケット１０の三次元位置を演算し、その演算結果を、図５，６に示したグラフに同時に表示する。
【００４９】
すなわち、図５のグラフには、深さＤと平面奥行き方向長さＬを示し、図６のグラフには平面奥行き方向長さＬと平面幅方向長さＷとを示す。ただし、上記図５のグラフには、そのポジションにおける電気比抵抗値を色分けした点によって、そのポジションと電気比抵抗値とを同時に表示するようにしている。
したがって、オペレータは、上記両グラフを見ながらバケット１０の三次元位置及び色分けされた電気比抵抗値の点をチェックしながら、バケット１０の位置と当該位置における改良度合いとを把握できることになる。
【００５０】
また、図６に示したグラフには、上記したようにバケット１０の幅よりもやや広めに設定した複数のコース区分ｗ１〜ｗ３を平面幅Ｗ方向に平行に表示しているが、このコース区分ｗ１〜ｗ３は、図４に示す改良エリアの幅区分Ｗ１〜Ｗ３に対応させている。
したがって、各幅区分Ｗ１〜Ｗ３における幅方向の中心をバケット１０のゼロ点にしておけば、オペレータは、この幅区分Ｗ１〜Ｗ３の範囲でバケット１０を多少振りながら、地盤改良作業をすることができる。バケット１０を上記のように幅区分Ｗ１〜Ｗ３の範囲で振ることができるので、当該バケット１０を一直線上に移動しながら作業する場合よりも、固定化した機体１で実施できる１回の作業幅を広くすることができる。
【００５１】
しかも、上記幅区分Ｗ１〜Ｗ３はモニター上にコース区分ｗ１〜ｗ３としてグラフで示されているので、例えば幅区分Ｗ１の改良作業を終了して、隣の幅区分Ｗ２に移動するときに、図６のグラフに示されたコース区分ｗ１〜ｗ３をチェックしながら機体２の位置を特定し、当該幅区分Ｗ２の中心をゼロ点に設定することができる。
上記のように幅区分Ｗ１〜Ｗ３ごとにその中心をゼロ点に設定できるとともに、各幅区分Ｗ１〜Ｗ３の境界を、図６のグラフ上のコース区分ｗ１〜ｗ３を見ることによって明確に区分できるので、オペレータは、コース間の間隔をあけすぎて未作業分を残してしまうことがない。
【００５２】
しかも、上記各コース区分における深さＤと奥行きＬとに関して、その改良度合いが色分け表示されているので、オペレータは，色分けされた色を見ながら、改良度合いを判定できる。したがって、改良度合いの低い箇所をそのまま残して改良作業を終えることはほとんどなくなる。
【００５３】
また、上記のように各三次元位置における各データは、コントローラに記憶されるとともに、この発明の出力手段であるモニターに表示される。
したがって、地盤改良作業が終了した後に、コントローラに記憶されたデータにより、その改良度合いをチェックすることができる。
【００５４】
上記のようにして一通りの改良作業が終えたら、今度は、機体２を平面幅Ｗ方向の中心に設定するとともに、この機体２の位置から、図４に示した上記地盤改良エリアの中心及び四隅に設定したポイントｐ１〜ｐ５にバケット１０を埋めて、これら５つのポイントｐ１〜ｐ５の改良度合いを改良度合い検出器１３で検出する。
【００５５】
このときにも、コントローラは、当該バケット１０の三次元位置を演算するとともに、その演算した三次元位置と、改良度合い検出器１３で検出した改良度合いとを対応づけて図７に示したグラフに表示する。
【００５６】
なお、上記図７のグラフは、各ポジションｐ１〜ｐ５における深さＤと電気比抵抗値との関係を示したものである。
そして、各ポイントｐ１〜ｐ５における深さごとの電気抵抗値は、コントローラに記憶される。
上記のように機体２を所定の位置に固定しながら、ポイントｐ１〜ｐ５における電気比抵抗値を測定し、それをコントローラに記憶させたり、モニターに表示したりできるのは、改良度合い検出器１３の位置を三次元で検出できるようにしたためである。
【００５７】
なお、上記実施形態では、改良度合い検出器１３が、電気比抵抗値を検出するようにしたが、例えば、改良度合い検出器１３が、土中に含まれているトリクロロエチレンやヒ素等を検出できるようにし、それらトリクロロエチレンやヒ素等が中和されたかどうかを検出するようにしてもよい。
【符号の説明】
【００５８】
１      基台
２      機体
３      操縦室
４      ブーム
７      アーム
１０      バケット
１２      混練ローター
１３      改良度合い検出器
Ｓ      垂直回転角度センサー
２２      出力計としてのポテンショメータ
【要約】
【課題】  混練ローター１２及び改良度合い検出器１３の位置を三次元でとらえられるようにして、地盤改良の状況を正確に把握できるとともに、基台を含めた機体の幅方向の移動回数を最小限にとどめられるようにする。
【解決手段】
コントローラは、上記支持部材の基端から混練ローター１２あるいは改良度合い検出器１３のうちの少なくとも一方にいたるまでの長さをあらかじめ記憶し、上記各回転角度センサーＳから受信した角度信号に基づいて、上記混練ローターあるいは改良度合い検出器のうちの少なくともいずれか一方の三次元位置を演算し、その演算結果を、上記改良度合い検出器からの地盤情報とともに記憶し、かつ、このコントローラに接続した出力手段に出力させる構成にしている。
【選択図】  図１【図１】
0004772159.tif 000002
【図２】
0004772159.tif 000003
【図３】
0004772159.tif 000004
【図４】
0004772159.tif 000005
【図５】
0004772159.tif 000006
【図６】
0004772159.tif 000007
【図７】
0004772159.tif 000008